【手続補正書】
【提出日】平成27年6月29日(2015.6.29)
【手続補正１】
【補正対象書類名】明細書
【補正対象項目名】００２５
【補正方法】変更
【補正の内容】
【００２５】
切り換え表示手段１０は、その上側に形成された上端部材１３及び下側に形成された下端部材１４を有しており、上端部材１３の上端軸１３ａ及び下端部材１４の下端軸１４ａを中心に鉛直軸回りに回動自在となっている。本実施の形態における切り換え表示手段１０は、上端部材１３と下端部材１４の間に、Ｖ字状に折曲したＶ字状板材１５が接合され、そのＶ字状板材１５の外面、即ち、外表面には、再帰反射材を混入した合成樹脂シートが接着され、その一方の面は走行注意標識面１１Ａ，１１Ｂ，１１Ｃ，１１Ｄとし、他方の面は熱中症の恐れのある状態を表示する熱中症注意標識面１２Ａ，１２Ｂ，１２Ｃ，１２Ｄとしている。
【手続補正２】
【補正対象書類名】明細書
【補正対象項目名】００２６
【補正方法】変更
【補正の内容】
【００２６】
ハウジング４の内部に配設された切り換え表示手段１０Ａ，１０Ｂ，１０Ｃ，１０Ｄは、温度上昇により外気温度が第１の設定温度より高い温度まで超えたとき、図９（ａ）から全体が時計回りに略１２０度回動し、図９（ｂ）のように、その熱中症注意標識面１２Ａ，１２Ｂ，１２Ｃ，１２Ｄがハウジング４の前側の透明板４ａ側となる。また、温度下降により外気温度が第１の設定温度より低い温度の第２の設定温度より低い温度まで低下したとき、図９（ｂ）から全体が反時計回りに略１２０度回動し、図９（ａ）のように、走行注意標識面１１Ａ，１１Ｂ，１１Ｃ，１１Ｄがハウジング４の透明板４ａ側となる。即ち、図９（ｂ）のように、切り換え表示手段１０Ａ，１０Ｂ，１０Ｃ，１０Ｄの熱中症注意標識面１２Ａ，１２Ｂ，１２Ｃ，１２Ｄが面一となったとき、当該熱中症注意標識面１２Ａ，１２Ｂ，１２Ｃ，１２Ｄの全面が入射光の方向に反射光が反射することになり、それによって外気温度が熱中症になる危険性が高い警戒温度以上の状態であることを明示する。また、図９（ａ）のように、切り換え表示手段１０Ａ，１０Ｂ，１０Ｃ，１０Ｄが図９（ｂ）から略１２０度回動して異なる面が略平面になったとき、走行注意標識面１１Ａ，１１Ｂ，１１Ｃ，１１Ｄが面一となり、当該走行注意標識面１１Ａ，１１Ｂ，１１Ｃ，１１Ｄの全面に入射光の方向に反射光が反射することになり、それによって、外気の環境温度が熱中症にかかる危険性の低い温度以下の状態であることを明示する。
【手続補正３】
【補正対象書類名】明細書
【補正対象項目名】００３２
【補正方法】変更
【補正の内容】
【００３２】
図８及び図１１に示すように、下側取付部材２０の上面には、切り換え表示手段１０の右回転（時計回り回転）を拘束する右回動ストッパー２２Ｒ（２２ＲＡ，２２ＲＢ，２２ＲＣ，２２ＲＤ）と、左回転（反時計回り回転）を拘束する左回動ストッパー２２Ｌ（２２ＬＡ，２２ＬＢ，２２ＬＣ，２２ＬＤ）とを有する。そして、下端部材１４の下方に突出した当接突起１４ｃ（１４ｃＡ，１４ｃＢ，１４ｃＣ，１４ｃＤ）は、左回動ストッパー２２Ｌ（２２ＬＡ，２２ＬＢ，２２ＬＣ，２２ＬＤ）と係合することによって左回転を拘束し、このとき、図９（ａ）及び図１１（ａ）に示すように走行注意標識面１１Ａ，１１Ｂ，１１Ｃ，１１Ｄがハウジング４の透明板４ａ側に面一となる。また、下端部材１４の下方に突出した当接突起１４ｄ（１４ｄＡ，１４ｄＢ，１４ｄＣ，１４ｄＤ）は、右回動ストッパー２２Ｒ（２２ＲＡ，２２ＲＢ，２２ＲＣ，２２ＲＤ）と係合することによって右回転を拘束し、図９（ｂ）及び図１１（ｂ）に示すように熱中症注意標識面１２Ａ，１２Ｂ，１２Ｃ，１２Ｄがハウジング４の透明板４ａ側に面一となる。
【手続補正４】
【補正対象書類名】明細書
【補正対象項目名】００３９
【補正方法】変更
【補正の内容】
【００３９】
そして、図１３（ｂ）の状態において、外気温度が高い温度から所定の第２の設定温度、本実施の形態では、例えば、２６℃の±１℃以下に降下する時に、形状記憶合金からなる圧縮スプリング３５，３６が各ターン部分の圧縮密度を粗にするように変形し、圧縮スプリング３０，３１の弾力と一緒となって移動部材４０を左方向に付勢し、切り換え表示手段１０Ａ，１０Ｂ，１０Ｃ，１０Ｄが左回りに回動して、最終的に移動部材４０が図１３（ａ）に示す状態となると、図１１（ａ）に示すように、走行注意標識面１１Ａ，１１Ｂ，１１Ｃ，１１Ｄがハウジング４の透明板４ａ側に面一となる。
【手続補正５】
【補正対象書類名】明細書
【補正対象項目名】００４０
【補正方法】変更
【補正の内容】
【００４０】
そして、図１３（ａ）の状態において、外気温度が低い温度から所定の第１の設定温度、例えば、所定の第２の設定温度の２６℃の±１℃及びそのヒステリシスを越えた熱中症警戒温度３１℃の±１℃以上に上昇すると、本実施の形態では、移動部材４０を左方向に付勢する圧縮スプリング３０，３１の弾性力よりも、形状記憶合金からなる圧縮スプリング３５，３６の弾性力が各ターン部分の圧縮密度を密にすることから大きくなり、移動部材４０を右方向に付勢し、切り換え表示手段１０Ａ，１０Ｂ，１０Ｃ，１０Ｄが右回りに回動して、最終的に移動部材４０が図１３（ｂ）に示す状態となると、図１１（ｂ）に示すように、熱中症注意標識面１２Ａ，１２Ｂ，１２Ｃ，１２Ｄがハウジング４の透明板４ａ側に面一となる。
【手続補正６】
【補正対象書類名】明細書
【補正対象項目名】００４１
【補正方法】変更
【補正の内容】
【００４１】
したがって、形状記憶合金からなる圧縮スプリング３５，３６の温度が熱中症の危険性の少ない２６℃の±１℃以下では、移動部材４０を移動させる弾性力は、移動部材４０を逆方向に移動させるべく付勢する圧縮スプリング３０，３１の弾性力よりも弱い。しかし、第２の設定温度を越えた高い第１の設定温度である熱中症の警戒温度３１℃の±１℃を超えると、形状記憶合金からなる圧縮スプリング３５，３６が移動部材４０を移動させる弾性力は、移動部材４０を移動させるべく付勢する圧縮スプリング３０，３１の弾性力よりも強くなる。よって、環境温度である外気温が熱中症警戒温度３１℃の±１℃を超えると右回転が規制されるまで回動し、熱中症注意標識面１２Ａ，１２Ｂ，１２Ｃ，１２Ｄがハウジング４の透明板４ａ側に面一となる。環境温度が２６℃の±１℃以下では左回転が規制されるまで回動し、走行注意標識面１１Ａ，１１Ｂ，１１Ｃ，１１Ｄがハウジング４の透明板４ａ側に面一となる。
【手続補正７】
【補正対象書類名】明細書
【補正対象項目名】００４６
【補正方法】変更
【補正の内容】
【００４６】
ハウジング４の熱伝導、放射熱等によって、外気温が形状記憶合金からなる圧縮スプリング３５，３６の動作可能温度となる。例えば、外気温が第１の設定温度の３１℃の±１℃となると、形状記憶合金からなる圧縮スプリング３５，３６は収縮変形して、他の圧縮スプリング３０，３１の弾性力よりも強く収縮し、圧縮スプリング３５，３６の弾性力によって移動部材４０は図１３の右方向に移動させられる。これによって、切り換え表示手段１０は図９（ａ）の状態が図９（ｂ）の状態に略１２０度右方向に回動し、熱中症注意標識面１２Ａ，１２Ｂ，１２Ｃ，１２Ｄがハウジング４の透明板４ａ側の面となる。この切り換え表示手段１０の右方向の回動が始まると、図１４に示すように、温度応動駆動機構２９の強磁性体（当接突起１４ｄ）が永久磁石（両方の左回動ストッパー２２Ｌ及び右回動ストッパー２２Ｒ）に次第に近接して行き、強磁性体及び永久磁石の両者間の磁力が両者間の距離の二乗に反比例して強く作用して、形状記憶合金からなる圧縮スプリング３５，３６による右回りの切り換え駆動力を補助する補助力として作用し、切り換え表示手段１０の右方向の回動が一挙に進むように早められて、最終的に強磁性体（当接突起１４ｄ）と永久磁石（右回動ストッパー２２Ｒ）とが互いに当接して切り換え表示手段１０の右方向の回動が終了させられる。
【手続補正８】
【補正対象書類名】明細書
【補正対象項目名】００４７
【補正方法】変更
【補正の内容】
【００４７】
また、外気温が熱中症の危険性の少ない２６℃の±１℃以下に低下すると、本実施の形態では、第２の設定温度が２６℃の±１℃の温度で形状を記憶させた形状記憶合金からなる圧縮スプリング３５，３６の各ターンの密度が粗になるから、２６℃の±１℃以下の温度でその圧縮方向の弾性力、即ち移動部材４０を図１３の右方向に移動させる弾力が減少する。したがって、圧縮スプリング３０，３１の圧縮方向の弾性力よりも、形状記憶合金からなる圧縮スプリング３５，３６の圧縮方向の弾性力の方が小さくなり、形状記憶合金からなる圧縮スプリング３５，３６は、圧縮スプリング３０，３１の弾性力よりも弱くなり、膨脹し、圧縮スプリング３０，３１の弾性力によって移動部材４０は図１３の左方向に移動させられる。これによって、切り換え表示手段１０は図９（ｂ）の状態から図９（ａ）の状態に略１２０度回動し、走行注意標識面１１Ａ，１１Ｂ，１１Ｃ，１１Ｄがハウジング４の透明板４ａ側の面となる。この切り換え表示手段１０の左方向の回動が始まると、図１５に示すように、温度応動駆動機構２９の強磁性体（当接突起１４ｃ）が永久磁石（両方の左回動ストッパー２２Ｌ及び右回動ストッパー２２Ｒ）に次第に近接して行き、強磁性体及び永久磁石の両者間の磁力が両者間の距離の二乗に反比例して強く作用して、形状記憶合金からなる圧縮スプリング３５，３６の弾力を弱めるとともに圧縮スプリング３０，３１による左回りの切り換え駆動力を補助する補助力として作用し、切り換え表示手段１０の左方向の回動が一挙に進むように早められて、最終的に強磁性体（当接突起１４ｃ）と永久磁石（左回動ストッパー２２Ｌ）とが互いに当接して切り換え表示手段１０の左方向の回動が終了させられる。
【手続補正９】
【補正対象書類名】明細書
【補正対象項目名】００５０
【補正方法】変更
【補正の内容】
【００５０】
ところで、上記実施の形態の切り換え表示手段１０は、温度が上昇の際に第１の設定温度を超えたとき表示される熱中症注意標識面１２Ａ，１２Ｂ，１２Ｃ，１２Ｄ、温度が下降する際に前記第１の設定温度より低い温度の第２の設定温度を低下したとき表示される走行注意標識面１１Ａ，１１Ｂ，１１Ｃ，１１Ｄからなるものであったが、前述したように逆に配置することも可能である。
【手続補正１０】
【補正対象書類名】明細書
【補正対象項目名】００５４
【補正方法】変更
【補正の内容】
【００５４】
１  道路用標識装置（温度応動標識装置）
４ ハウジング
４ａ 透明板
１０（１０Ａ〜１０Ｄ） 切り換え表示手段
１１（１１Ａ〜１１Ｄ） 走行注意標識面
１２（１２Ａ〜１２Ｄ） 熱中症注意標識面
２９ 温度応動駆動機構
３０，３１ 圧縮スプリング
３５，３６ 形状記憶合金からなる圧縮スプリング
５５  遮光体
【手続補正１１】
【補正対象書類名】図面
【補正対象項目名】図４
【補正方法】変更
【補正の内容】
【図４】
2014009511.tif 000001
【手続補正１２】
【補正対象書類名】図面
【補正対象項目名】図９
【補正方法】変更
【補正の内容】
【図９】
2014009511.tif 000002
【手続補正１３】
【補正対象書類名】図面
【補正対象項目名】図１１
【補正方法】変更
【補正の内容】
【図１１】
2014009511.tif 000003
【手続補正１４】
【補正対象書類名】図面
【補正対象項目名】図１４
【補正方法】変更
【補正の内容】
【図１４】
2014009511.tif 000004
【手続補正１５】
【補正対象書類名】図面
【補正対象項目名】図１５
【補正方法】変更
【補正の内容】
【図１５】
2014009511.tif 000005